(57)【要約】      （修正有）【課題】小型化した場合にも籤を筐体内で良好に乱舞・周遊させることができ、かつ、籤の堆積・滞留や排気口への張り付きもほとんど発生しないエアー抽選器を提供する。【解決手段】少なくとも一部が透明素材で構成された筐体に、略球形形状の抽選空間４を設け、該抽選空間の中心から見て水平方向を０度、鉛直下方向を−９０度としたときに−６０度乃至６０度となる位置に吹出口５を設け、ここからは空気流がほぼ該抽選空間の底面を通過する接線方向下向きに空気流を吹き出すように設定する。また、該抽選空間の中心から見て吹出口の方向を０度としたときに、左右に１５度乃至４５度となる位置に排気口６を設けることが好ましい。これらにより、抽選空間内での籤の良好な周遊が実現されるとともに、籤の堆積・滞留や排気口への張り付きもほとんど発生しないという効果が得られる。【選択図】図４
0003204171.tif 000002
【実用新案登録請求の範囲】
【請求項１】
少なくとも一部が透明素材で構成された筐体と、
該筐体に設けられた少なくとも一つの抽選穴と、
該筐体内部に設けられた抽選空間と、
該抽選空間内面に設けられた吹出口とを備えたエアー抽選器であって、
該抽選空間は略球体形状とされており、
該吹出口は該抽選空間の中心から見て水平方向を０度、鉛直下方向を−９０度としたときに−６０度乃至６０度となる位置に設けられており、
該吹出口からは空気流がほぼ該抽選空間の底面を通過する接線方向下向きに吹き出すように設定されている、
ことを特徴とする、エアー抽選器。
【請求項２】
少なくとも一部が透明素材で構成された筐体と、
該筐体に設けられた少なくとも一つの抽選穴と、
該筐体内部に設けられた抽選空間と、
該抽選空間内面に設けられた吹出口とを備えたエアー抽選器であって、
該抽選空間は少なくとも１２面以上の面を有する多面体形状とされており、
該吹出口は該抽選空間の中心から見て水平方向を０度、鉛直下方向を−９０度としたときに−６０度乃至６０度となる位置に設けられており、
該吹出口からは空気流がほぼ該抽選空間の底面を通過する接線方向下向きに吹き出すように設定されている、
ことを特徴とする、エアー抽選器。
【請求項３】
前記吹出口は前記抽選空間の中心から見て水平方向を０度、鉛直下方向を−９０度としたときに−６０度乃至０度となる位置に設けられている、
ことを特徴とする、請求項１または請求項２に記載のエアー抽選器。
【請求項４】
前記吹出口の上側にクッション体が設けられている、
ことを特徴とする、請求項１乃至請求項３のいずれかに記載のエアー抽選器。
【請求項５】
前記吹出口の上側にシート体がその上端部で取り付けられ、該シートの長さは前記吹出口をほぼ覆い得る程度とされている、
ことを特徴とする、請求項１乃至請求項３のいずれかに記載のエアー抽選器。
【請求項６】
前記抽選空間の中心から見て吹出口の方向を０度としたときに、左右に１５度乃至４５度となる位置に排気口が設けられている、
ことを特徴とする、請求項１乃至請求項５のいずれかに記載のエアー抽選器。
【請求項７】
前記抽選空間の中心から見て吹出口の方向を０度としたときに、左右に６０度乃至１２０度となる位置に抽選穴が設けられている、
ことを特徴とする、請求項１乃至請求項６のいずれかに記載のエアー抽選器。
【請求項８】
前記筐体は、前記抽選空間を取り囲む殻体と、該殻体を下方で支持する基礎体からなり、
該基礎体と該殻体の接触面は水平方向に対して１５度乃至４５度の角度となるように設定されている、
ことを特徴とする、請求項１乃至請求項７のいずれかに記載のエアー抽選器。
【請求項９】
前記吹出口につながる空気導入口を備えている、
ことを特徴とする、請求項１乃至請求項８のいずれかに記載のエアー抽選器。
【請求項１０】
前記基礎体内部にブロアモータを備え、該ブロアモータは前記吹出口に接続されている、
ことを特徴とする、請求項１乃至請求項８のいずれかに記載のエアー抽選器。
【請求項１１】
前記基礎体内部にファンモータを備え、該ファンモータは前記吹出口に接続されている、
ことを特徴とする、請求項１乃至請求項８のいずれかに記載のエアー抽選器。
【請求項１２】
前記基礎体に前記抽選空間を照らす照明手段を備えている、
ことを特徴とする、請求項８乃至請求項１１のいずれかに記載のエアー抽選器。
【考案の詳細な説明】
【技術分野】
【０００１】
本考案は、少なくとも一部が透明素材で構成された筐体の内部に紙片などで構成された多数の籤を収めて空気流で周遊・乱舞させ、利用者は筐体の外部から任意の籤を掴んで抽選を行えるようにした、エアー抽選器に関するものである。より詳しくは、小型化しても籤体の堆積・滞留や張り付きの発生しにくい、卓上に容易に設置可能なエアー抽選器に関するものである。
【背景技術】
【０００２】
少なくとも一部が透明素材で構成された筐体の内部に紙片などで構成された多数の籤を空気流で乱舞させ、利用者に筐体に設けた抽選穴から手を挿し入れて籤を掴みとらせる構成としたエアー抽選器は、従来から様々な催事で利用されてきている。催事の出し物としての抽選そのものの面白さのみならず、多数の籤が空気流で乱舞する様子が外部から視認され、視覚を通じて催事に華やかさを加えることができることも大きな理由である。また、視覚を通じて華やかな印象を与えるという性質から、催事の出し物のみならず、例えばゲームセンターのような遊戯施設などで多くの人の興味を惹きつけるためのツールとして活用される機会が増えている。
【０００３】
エアー抽選器の典型的構成は、円筒形形状の筐体の底部中央から筐体の上方に向かって強い空気流を吹き出すことで、紙片などで構成された籤を筐体の上部に向かって吹き上げる構成とされている。噴き上げられた籤は、空気流からそれるか、あるいは筐体の天井に衝突すると筐体の底部に向けて落下していき、これが再び空気流に乗って筐体の上方に向かって吹き上げられるということを繰り返す。利用者は、筐体壁面に設けられた抽選穴から手を差し入れて、宙を舞っている籤を掴みとることで抽選を行う。抽選穴には、典型的にはゴム等の柔軟な素材で構成されたシートに放射状に切り込みを設けた蓋体が設けられている。蓋体によって抽選穴がふさがれていることにより籤が意図せずに飛び出してしまうことが防止される一方、利用者は蓋体の放射状の切れ込みを容易に押し開きつつ手を差し入れることが可能とされているのである。また、筐体には筐体内部に吹き出した空気を逃がすために、籤が通過できない程度の大きさの排気口が設けられていることが通常である。
【０００４】
上記のようなエアー抽選器では、空気流が通らない部分（空気の流れに「淀み」ができる箇所）、例えば円筒形形状の筐体の底部の周部（床面と壁面の境目付近）などに籤が堆積してしまったり、あるいは籤が筐体の隅などのごく限られた範囲（空気の流れに「二次渦」ができる箇所））の領域でしか動かなくなる滞留状態に陥ることがある。一度堆積状態や滞留状態に陥った籤はそのままでは再び舞い上げられることはなく、筐体内を舞う籤を掴みとるというエアー抽選器の機能を奏さないばかりか、外観上も好ましくない。また、籤は紙片で作られることが多いため、これがエアー抽選器から抜ける空気によって排気口に張り付いてしまう場合（張り付き）もあり、これも堆積・滞留と同様に課題であった。
【０００５】
上記のような課題は、エアー抽選器が比較的大型である場合は深刻な問題とならない場合もある。大型の筐体の場合、舞い上がった籤がほとんど到達しない筐体の上部部分に排気口を設ければ張り付きの問題は発生し得ないことは明らかである。また、大型筐体に大量の籤を投入して、強力なブロアモータで強い空気流を吹き込んで使用すれば、少々の籤が堆積・滞留してもなお多くの籤が舞い上げられ、全体としての美観への影響が限定的となってエアー抽選器としての機能が維持されるからである。
【０００６】
しかし、卓上に設置して使用できる程度の比較的小型のエアー抽選器の場合には上記のような課題は深刻である。小型筐体であるため籤が容易に筐体内の上端にまで到達するので排気口を上部に設けても張り付きの問題が発生するし、仮に、籤が筐体内の上端に到達しないようでは籤の乱舞が不十分で利用者に貧相な印象を与えてしまう。また、使用するブロアモータも小型で非力なものを使用せざるを得ない場合があり、大量の籤を筐体内に投入してこれらを乱舞させることも現実的でない。
【０００７】
このような課題に対応することができる可能性のある発明として、例えば特開２００２−１６３６９７号公報に開示されているエアー抽選器が挙げられる。これは円筒形形状の筐体の下部から軸流ファンによって旋回流を発生して、単純に空気流を上方向に噴き出す場合と比較して籤の堆積・滞留を抑制することを企図したものであり、円筒形形状の筐体内で旋回流を発生させることで、空気流が筐体内のほぼ全域に存在する状態になり、籤の堆積や滞留が抑制されるという効果が期待される。しかし、旋回流を利用するため、筐体形状を円筒形以外の形状とすることが困難であり、筐体そのものを特徴ある形状として意匠性を高めるといった工夫が困難である。
【０００８】
また、特開１９９６−１１９２７４号公報には多面体形状の筐体の底部から内面にそって空気流を噴き出すことで、籤を筐体内で上方に噴き上げるのではなく、内面に沿って周遊させるように流す構成が開示されている。この構成によれば、空気流からそれた籤は多面体の内壁に沿って空気の吹出口付近に落下して再び空気流によって周遊するため堆積・滞留が発生しにくい。しかし、流速の大きな空気流が発生する吹き出し口の近くには二次渦が発生しやすいため、筐体底部の吹出口近くの二次渦の発生する領域での滞留が多くなりがちであり、また、排気口への籤の張り付きの発生を抑制するものではない。吹出口近く滞留を少なくして良好に籤を周遊させるために強力な空気流を要し、そうすると張り付きが増えるという関係に陥り易くこのために小型化に限界があるという課題があった。
【先行技術文献】
【特許文献】
【０００９】
【特許文献１】特開２００２−１６３６９７号公報
【特許文献２】特開１９９６−１１９２７４号公報
【考案の概要】
【考案が解決しようとする課題】
【００１０】
本考案が解決しようとする課題は、上記に説明した通り、小型化した場合にも籤を筐体内で良好に乱舞・周遊させることができ、かつ、籤の堆積・滞留や排気口への張り付きもほとんど発生しないエアー抽選器を提供することである。
【課題を解決するための手段】
【００１１】
（１）上記課題を解決するため、本考案においては、
少なくとも一部が透明素材で構成された筐体と、
該筐体に設けられた少なくとも一つの抽選穴と、
該筐体内部に設けられた抽選空間と、
該抽選空間内面に設けられた吹出口とを備えたエアー抽選器であって、
該抽選空間は略球体形状とされており、
該吹出口は該抽選空間の中心から見て水平方向を０度、鉛直下方向を−９０度としたときに−６０度乃至６０度となる位置に設けられており、
該吹出口からは空気流がほぼ該抽選空間の底面を通過する接線方向下向きに吹き出すように設定されている、
ことを特徴とする、エアー抽選器としている。
【００１２】
筐体を少なくとも一部が透明素材で構成したので、利用者が筐体内部の抽選空間で周遊・乱舞する籤を視認することができる。エアー抽選器は抽選空間が利用者から不可視である構成であったとしても、手探りで籤を掴み取らせることが可能であるので、籤を引くという機能的には必ずしも筐体が透明素材で構成される必要は無いのであるが、抽選空間内で籤が周遊・乱舞する様子を利用者に視認させ、これによって利用者の興味をひきつける意匠的効果を獲るために筐体の少なくとも一部が透明素材で構成されていることが必要なのである。ここに透明素材とは、完全な無色透明の素材に限らず、有色透明や半透明の素材をも含むものである。要は利用者が外部から抽選空間を観察可能な程度に透明な素材であれば良い。具体的には、ガラスや適当な樹脂製とすればよいが、特に好ましくは透明度が高くて比較的大型の筐体を容易に作ることが可能なアクリル樹脂製の筐体とすると良い。
【００１３】
筐体には、利用者が手を差し入れて抽選空間を周遊・乱舞する籤を掴み取れるように抽選穴を設ける。抽選穴の大きさは大人が腕を差し入れることができる程度に設定すればよく、例えば、直径を１２０ｍｍ程度とすることができる。
【００１４】
また、抽選穴にはゴム等の柔軟な素材で構成されたシートに放射線状に切り込みを設けた蓋体を備えている。通常時は、蓋体の放射線状の切り込みが閉じた状態を保っており、これによって抽選穴から抽選空間で周遊・乱舞する籤が勝手に飛び出してしまうような事故を防いでいる。また、利用者は蓋体の放射線状の切り込みを押し開きつつ抽選空間に手を差し入れて籤を掴み取ることができ、利用者が抽選空間から手を抜くと、ゴム等の弾性で蓋体は直ちに閉じた状態に戻る。蓋体としては従来のエアー抽選器で用いられてきたものと同様のものを利用可能であり、例えば、排水口用の蓋として市販されているものを流用することも可能である。
【００１５】
さて、抽選空間を略球体形状とし、抽選空間へ空気流を吹き込む吹出口が抽選空間の中心から見て水平方向を０度、鉛直下方向を−９０度としたときに−６０度乃至６０度となる位置に設けられており、かつ、吹出口から吹き出される空気流がほぼ該抽選空間の底面を通過する接線方向下向きとされていることは、本考案の最も重要な特徴である。抽選空間を略球体形状としたことで、抽選空間内の籤は空気流などの影響が無い限り、重力によって抽選空間の下部中心部に滑り落ちてくることになる。抽選空間の形状が多角形の場合や円筒形の場合などでは角部が空気流の淀み点になりやすく、この角部から重力で籤が抜け出せなければ籤が滞留してしまうことになる。角部にあたる床面に常に十分な勾配が確保できればよいが、このような設計及び製造は簡単でない一方、略球体形状の抽選空間とすることで淀み点が発生しやすい角部がそもそも無く、製造も容易である。さらに、淀み点が発生しないということは空気流がスムーズに抽選空間内を流れるということであるので、籤が抽選空間を良好に周遊し、堆積・滞留の無い優れたエアー抽選機とすることができる。なお、略球体形状とは、一般的な利用者が視認した際に球体であると認識する程度に丸い形状であることを意図しており、数学的に厳密な球体形状である必要は無い。従って、長軸と短軸の比が小さい回転楕円体なども含む概念であるが、あまりに長軸と短軸の比の大きい細長い形状は含まない。具体的には、長軸と短軸の比が１乃至１．５の範囲であるような回転楕円体に近似した形状は、本考案における略球体形状に含まれる。
【００１６】
また、吹出口を抽選空間の中心から見て水平方向を０度、鉛直下方向を−９０度としたときに−６０度乃至６０度となる位置に設けるということは、一般的なエアー抽選器で多く見られるように吹出口を抽選空間の底部に設けるのではなく、抽選空間の斜め上方から斜め下方程度の位置の間（ただし、天井付近や底部付近は含まない）に吹出口を設けるということである。また、この際の空気流の吹き出し方向はほぼ抽選空間の接線方向下向き、つまり、内面に沿って流れる空気流が底部を通過するような方向とする。このようにすることで、吹出口から吹き出した空気流は抽選空間の底部を通過して抽選空間内壁に沿って上昇し、抽選空間天井付近を通過して吹出口の近くに至るという流れを作る。籤はおおむねこの流れに乗って抽選空間内を周遊するが、この流れからそれて落下した籤も重力に引かれて落下し結局は抽選空間底部に集まるため、ここで再び空気流に乗って周遊を始める。吹出口から吹き出す空気流は流速が大きいため、その周囲に渦を発生したり、渦と渦の境界に淀み点を発生して、籤の堆積・滞留を招き易いが、吹出口が抽選空間底部の水平面では無く、抽選空間の真横から底部の間（ただし、底部付近は含まない）に設けられていると、その近傍の淀み点に籤が入った場合であっても、重力に引かれて内面を滑り落ち空気流に乗って周遊を始めることになるため、堆積・滞留が問題になることはほとんど無い。
【００１７】
また、吹出口は抽選空間の他の部分の内面と比較して籤の引っ掛かりの生じる原因となる凹凸が多くなるため、抽選空間の底部に吹出口を設けると多くの籤が周遊の度に凹凸と接触することになり、籤の消耗が激しい。ところが、吹出口を抽選空間の中心から見て水平方向を０度、鉛直下方向を−９０度としたときに−６０度乃至６０度となる位置に設けると、空気流に乗って抽選空間の内面に沿って周遊する籤は抽選空間の天井部を通過するあたりに差し掛かった時点で重力に引かれて抽選空間の内面を離れつつ空気流に乗って周遊を続けるようになる。この状態では、吹出口の設けられている抽選空間の内面に籤が接触していないため、籤が吹出口やその周辺の凹凸等と接触して籤が消耗することもない。この為、籤の交換等のメンテナンス頻度を下げることが可能であり、エアー抽選器の稼働率の向上といった利益が得られる。
【００１８】
（２）上記課題を解決するため、本考案においては、
少なくとも一部が透明素材で構成された筐体と、
該筐体に設けられた少なくとも一つの抽選穴と、
該筐体内部に設けられた抽選空間と、
該抽選空間内面に設けられた吹出口とを備えたエアー抽選器であって、
該抽選空間は少なくとも１２面以上の面を有する多面体形状とされており、
該吹出口は該抽選空間の中心から見て水平方向を０度、鉛直下方向を−９０度としたときに−６０度乃至６０度となる位置に設けられており、
該吹出口からは空気流がほぼ該抽選空間の底面を通過する接線方向下向きに吹き出すように設定されている、
ことを特徴とする、エアー抽選器としている。
【００１９】
すでに、抽選空間を略球体形状とすることで、籤の堆積・滞留をほとんど発生させずにスムーズに籤を周遊させることができることは説明したとおりである。抽選空間が略球形とされていれば、その内面はすべて滑らかに連続しており、角部等に発生しがちな淀み点や渦が発生しないからであるが、必ずしも抽選空間が略球体形状、すなわち曲面からなっているもので無く、多くの平面からなる多面体のような形状であっても、各面間の角度が鈍角であれば採用可能である。具体的にはほぼ正１２面体や正２０面体のような形状を選択することができる。これらの多面体であれば、各面間の角度が鈍角であり、淀み点や渦の発生が実質的な問題となる事が少ないからである。また、特有の形状によって得られる面白さの意匠的効果によって利用者の関心を得ることができるという効果も考えられる。
【００２０】
また、抽選空間が略球体形状とされた（１）では、抽選空間を覆う殻体を製造するには大型の金型が必要になるので生産コストが高価になる場合がある。市場に流通している企画寸法の球殻を利用して殻体を構成すればこの限りではないが、抽選空間の大きさを自由に設計することはできなくなってしまう。これに対して、多面体形状の抽選空間であれば、その殻体は市場に安価に流通している平面部材から切り出した多角形を組み合わせて構成することができるので、自由な寸法のものを比較的安価に実現することができるという利点もある。
【００２１】
（３）上記課題を解決するため、本考案においては、
前記吹出口は前記抽選空間の中心から見て水平方向を０度、鉛直下方向を−９０度としたときに−６０度乃至０度となる位置に設けられている、
ことを特徴とする、（１）または（２）に記載のエアー抽選器としている。
【００２２】
吹出口を抽選空間の中心から見て水平方向を０度、鉛直下方向を−９０度としたときに−６０度乃至０度となる位置に設けるということは、抽選空間の真横から斜め下程度の位置の間（底部付近は含まない）に吹出口を設けるということである。この際にも吹出口から抽選空間接線方向下向きに空気流を吹き出していることは先と同様である。このような位置に吹出口を設けると、周遊してきた籤が吹出口付近に来ると、これらが吹出口から吹き出す空気流によって強く吹き降ろされる。同時に籤は重力によっても下方向に引かれる状態であるので、吹出口近くの流速の早い領域で籤は十分に加速され、勢い良く抽選空間を周遊できることになる。また、流速の早い流れは周囲よりも圧力が低いため、空気流からそれそうになっている籤をも引き寄せて周遊させるという効果が得られ、より、籤の堆積・滞留を発生しにくくする。なお、吹出口をより高い位置、つまり抽選空間の中心から見て水平方向を０度、鉛直下方向を−９０度としたときに０度乃至６０度となる位置に設けても依然として類似の効果は得られるものの、吹出口と抽選空間の底部の距離が大きくなる為に、抽選空間底部での空気流の流速が下がってしまう。これによって、籤の周遊がややスムーズでなくなってしまうので、抽選空間底部で空気流の流速が十分に保たれる−６０℃乃至０度となる位置に吹出口を設けることが好ましい。また、吹出口をあまり抽選空間内の高い位置に設けると、利用者に目立ってしまい、エアー抽選器の美観を損ねがちになる。この意味でも、吹出口を目立ちにくい低めの位置に設けることが好ましい。
【００２３】
（４）上記課題を解決するため、本考案においては、
前記吹出口の上側にクッション体が設けられている、
ことを特徴とする、（１）〜（３）のいずれかに記載のエアー抽選器としている。
【００２４】
吹出口から吹き出す空気流に乗って周遊する籤は、抽選空間の天井付近を通過したあたりで重力に引かれて抽選空間内面から少し離れて周遊を続けることが多く、この為、多くの籤は吹出口付近の凹凸に接触することなく再び空気流に乗って周遊を続ける。しかし、すべての籤が必ず同じ経路をたどることは無く、多くの籤を周遊させていると一部の籤は確率的に吹き出し口付近の凹凸に接触し、これが籤の劣化を招くという課題がある。そこで、周遊する籤にとって吹出口の手前、つまり、吹出口の上側にクッション体を備えることが好ましい。クッション体は、ゴムのように比較的柔らかく接触した相手を傷つけることの少ない素材で構成した突起とすればよく、例えば円筒形形状や回転台形形状のゴムを吹出口の上部に固定して実現すればよい。
【００２５】
このようにすれば、一部の籤が抽選空間内面に沿って周遊してきても、クッション体に衝突してその後抽選空間内面に沿って滑り落ちて再び空気流に乗って周遊を始めることになる。これにより、吹出口近くの固い凹凸に接触した場合と比較して、籤の消耗は大きく軽減され、籤の交換等のメンテナンス頻度を少なくし、エアー抽選器の稼働率を高めることができる。
【００２６】
（５）上記課題を解決するため、本考案においては、
前記吹出口の上側にシート体がその上端部で取り付けられ、該シートの長さは前記吹出口をほぼ覆い得る程度とされている、
ことを特徴とする、（１）〜（３）のいずれかに記載のエアー抽選器としている。
【００２７】
本考案は卓上に設置して使用可能な程度の小型のエアー抽選器として実施した場合にその優れた特徴が顕著であることはすでに説明したとおりであるが、小型のエアー抽選器では抽選空間も小型であるため、必然的にその内部を周遊する籤が極めて多くの回数抽選空間内を周遊することになる。このため、（４）にて説明したようなクッション体を設けた場合でも、これに極めて多くの回数籤が衝突を繰り返すことで磨耗してしまう場合がある。そこで、籤の劣化をさらに抑制するため、前記吹出し口の上側に樹脂又は紙又は布製のシート体を上端部で取り付けて吹出口を覆うように垂下するとよい。このようにすると、抽選空間内を周遊する籤は、薄くしなやかなシート体に沿って滑らかに吹出口を乗り越え、その後吹出口から吹き出す空気流にのって周遊を続けることになるので、籤が吹出口付近の凹凸に接触することが皆無となり、籤の消耗をきわめて少なくすることができる。これによって籤の交換等のメンテナンス頻度をますます少なくし、エアー抽選器の稼働率をさらに高めることができる。
【００２８】
（６）上記課題を解決するため、本考案においては、
前記抽選空間の中心から見て吹出口の方向を０度としたときに、左右に１５度乃至４５度となる位置に排気口が設けられている、
ことを特徴とする、（１）〜（５）のいずれかに記載のエアー抽選器としている。
【００２９】
エアー抽選器では、抽選空間内で籤を周遊させるために吹出口から空気流を吹き出すので、これによって抽選空間に導入された空気を抽選空間外に排出しなければならない。このとき、抽選空間から排出される空気とともに籤までが排出されてしまうことを防ぐため、排気口は籤が通らない程度の大きさの穴を必要に応じて複数設けることになる。問題は、この排気口に籤が張り付くと、排気口の面積が小さくなるために排気の勢いが強くなり、さらに多くの籤の張り付きを招きがちである点である。本考案では、吹出口から吹き出した空気流は抽選空間の底部を通過して周りの空気を巻き込みつつ抽選空間の内面に沿って上昇し、さらに抽選空間の天井部を通過して吹出口付近に接近していくのであるが、このような空気流の道筋に排気口を設けると、たちまち空気流に乗った籤が張り付きを発生してしまう。
【００３０】
この問題に対し、本願考案者は排気口を吹出口の左右にずらせた位置に設けることが非常に効果的であることを見出した。このようにすると空気流は、抽選空間の天井部を通過した後にやや方向を変えて吹き出し口の左右の排気口に向かって流れ、排気されていく。一方で、籤は紙製などで軽量であるとは言うものの、空気と比較すると質量が大きいために慣性が大きく、容易には進行方向が変わらない。この為、排気口に向かって方向を変えた空気流から外れて直進し、再び吹出口から吹き出す空気流に乗って周遊を続けることになる。このように、空気流は排気口に向けて容易に方向を変える一方で、籤は慣性の為に急にはその方向を変えないことを利用して、排気口近くを籤が通過することがなくなり、張り付きの問題を解決できるのである。
【００３１】
さらに、本願考案者はこのような条件を満たしていたとしても、必ずしもエアー抽選器全体として好ましい動作が得られるとは限らないことを見出している。例えば、排気口の位置を抽選空間中心から吹出口を正面に見た際に真横方向、すなわち、９０度右方向や９０度左方向とすると、籤が排気口に張り付く問題は発生しないものの、吹出口から吹き出した空気流が抽選空間の底部から天井部を通る経路をとらずに排気口に向かってしまい、籤がスムーズに周遊しなくなってしまうのである。なお、籤がスムーズに周遊しない場合、吹出口から吹き出す空気流の流速を上げる（風量を増やす）ことによって解決できる場合があるが、これはエアー抽選器の消費電力を増やしたり、ブロアモーターの発生する騒音を大きくしてしまうという副作用を発生するので、好ましい解決策ではない。結局、スムーズに籤を周遊させつつ排気口への籤の張り付きも発生しないような排気口の位置は限られており、具体的には、排気口の位置を抽選空間の中心から見て吹出口の方向を０度としたときに、左右に１５度乃至４５度となる位置に排気口を設けると良く、また、上下方向は水平方向を０度、鉛直下方向を９０度としたときに−６０度乃至６０度となる位置に設けると良い。
【００３２】
（７）上記課題を解決するため、本考案においては、
前記抽選空間の中心から見て吹出口の方向を０度としたときに、左右に６０度乃至１２０度となる位置に抽選穴が設けられている、
ことを特徴とする、（１）〜（６）のいずれかに記載のエアー抽選器としている。
【００３３】
エアー抽選器は、利用者が抽選空間に手を差し入れて抽選空間を周遊する籤を掴み取るというものであるから、その筐体に人間が抽選空間に手を差し入れることのできる大きさの抽選穴を備えていなければならない。ここで、吹出口から抽選空間内に吹き出した空気流は、排気口のみならず抽選穴からも排出されるので、これに乗って籤が抽選穴から排出されてしまうという不具合が発生し得る。前記したとおり、抽選穴にゴム等の柔軟な素材で構成されたシートに放射線状に切り込みを設けた蓋体を備え、通常時は、蓋体の放射線状の切り込みが閉じた状態を保ち、抽選穴から籤が勝手に飛び出してしまうことを防ぐことは可能である。しかし、完全なる漏気を防ぐことは容易でなく、抽選穴への籤の張り付きが発生しかねない。
【００３４】
この課題に対しても、先の排気口への籤の張り付きを防ぐ方法と同様の方法によって解決を図ることができる。つまり、抽選空間内壁のうち籤が周遊しないような位置に抽選穴を設ければよいのである。もっとも、利用者が抽選穴から手を差し入れた際にあまりに抽選空間内部の空気流が大きく乱されると、この際に籤の排気口への張り付きなどが発生しやすくなる。従って、利用者が抽選穴から手を差し入れたときにもあまり空気流への影響が発生しない場所を選択することが好ましい。具体的には、抽選空間の中心から見て吹出口の方向を０度としたときに、左右に６０度乃至１２０度となる位置に抽選穴を設ければよい。一例としては、抽選空間中心から吹出口を正面に見た場合に、真横方向の左右二箇所とすることができる。この位置にはもともとほとんど空気流が発生していない場所であるから抽選穴を設けても空気流に影響を与えることが無く、また、ここから利用者が手を差し入れても大きく空気流をさえぎって流れを撹乱する事態を招きにくいという点で非常に好ましい。
【００３５】
（８）上記課題を解決するため、本考案においては、
前記筐体は、前記抽選空間を取り囲む殻体と、該殻体を下方で支持する基礎体からなり、
該基礎体と該殻体の接触面は水平方向に対して１５度乃至４５度の角度となるように設定されている、
ことを特徴とする、（１）〜（７）のいずれかに記載のエアー抽選器としている。
【００３６】
本考案に係るエアー抽選器は、略球体形状又は少なくとも１２面以上を備える多面体形状である抽選空間を備えているが、このような形状の抽選空間を覆う殻体もおおむね抽選空間と同じ形状となることが多い。殻体を著しく厚い材料で構成することは不経済であり、また、抽選穴が厚くなると利用者が籤を引くために手を差し入れることを困難にするからである。さらに、エアー抽選器の重量が大きくなり、小型であるにも関わらず輸送・設置等が難しくなるという弊害も生じるからである。なお、抽選空間内部で籤が周遊する様子を利用者から良好に視認可能とするため、殻体はアクリル樹脂など、透明又は有色透明で比較的軽量な樹脂材料で構成することが好ましいことは言うまでもない。
【００３７】
さて、上記のような形状の殻体はそのままでは机上に設置するには不便であるため、殻体を支持するための基礎体を供える必要がある。なお、エアー抽選器には空気流を発生するブロアモータや、空気流を殻体内の抽選空間に導入するためのダクトなどが不可欠であるが、これらを収める筐体としても基礎体は使用される。
【００３８】
ここで、本考案に掛かるエアー抽選器は、一般的なエアー抽選器と異なり抽選空間の底面に吹出口を備えておらず、抽選空間のやや高い位置に吹出口を備えている。吹出口を設けた部分の殻体には空気流を導入するダクトを接続するので、この部分が隠れるような基礎体とすることが好ましいのだが、基礎体と殻体の接触面が水平であると、基礎体によって殻体及び内部の抽選空間の小さくない部分が隠れてしまうことになる。エアー抽選器にとって抽選空間内を周遊する籤の意匠的効果はきわめて重要であるので、抽選空間の少なくない部分が基礎体によって隠れてしまうことは頗る不都合である。
【００３９】
そこで、吹出口のある部分の殻体とは高い位置で接し、吹出口の無い部分の殻体とは低い位置で接する、つまり、接触面が水平ではなく斜めになっているような基礎体とすることが好ましい。このようにすることで、抽選空間の多くの部分を利用者から視認可能としつつ、ダクトその他を隠した優れた外観のエアー抽選器とすることができる。また、必ずしも吹出口につながるダクトが基礎体で完全に覆い隠されていなければならないわけではなく、一部が利用者に視認可能な状態となっていてもかまわない。要は、見苦しくない程度の外観が実現されれば良いのである。なお、排気口の部分の殻体が基礎体によって覆い隠されるようにするかどうかは任意である。排気口にはダクトを備える必要が無いので、外観にさほど悪影響を奏することが無いからである。
【００４０】
（９）上記課題を解決するため、本考案においては、
前記吹出口につながる空気導入口を備えている、
ことを特徴とする、（１）〜（８）のいずれかに記載のエアー抽選器としている。
【００４１】
本考案に係るエアー抽選器は、机上に設置して使用できるような小型のものとした場合に特にその特徴が活きるのであるが、机上に設置可能な小型のエアー抽選器とした場合に空気流を発生するブロアモーターを筐体内に内蔵せず、外部に設置したブロアモーターから空気流をダクト等でエアー抽選器に導入した方が都合が良い場合がある。ブロアモーターは比較的重く、机上に設けるよりも床置きとした方が便利な場合があり、また、机上に設置するよりも机下等に設置するほうが発生する騒音が気になりにくいといった理由があるからである。また、エアー抽選器が小型であるため、ブロアモーター一台で複数台のエアー抽選器に空気流を供給できる場合もある。このような場合、ブロアモーターに適当な分岐継手を介して複数台のエアー抽選器に接続すればよく、このような運用を可能とするため、本考案に係るエアー抽選器にはブロアモーターとダクト等を介して接続可能とした空気導入口を備えていることが好ましい。空気導入口は、エアー抽選器内部で吹出口に接続されることは言うまでもないことである。
【００４２】
（１０）上記課題を解決するため、本考案においては、
前記基礎体内部にブロアモータを備え、該ブロアモータは前記吹出口に接続されている、
ことを特徴とする、（１）〜（８）のいずれかに記載のエアー抽選器としている。
【００４３】
すでに説明したとおり、エアー抽選器では抽選空間内で良好に籤を周遊・乱舞させるために十分な流速の空気流を発生させる必要がある。このような空気流を発生させる装置として、ブロアモータを用いることが好ましい。ブロアモータは遠心ファンとも言われ、ファンの回転軸と垂直方向に遠心力で空気を輸送する装置であり、本考案の求める機能に対して小型の装置を使用した場合でも流量と圧力のバランスが良いものが利用可能だからである。本考案は小型のエアー抽選器とした場合に特に特徴が活き、運送・設置が容易であることも魅力であるので、ブロアモータも筐体内に一体に内蔵されていると便利である。具体的には、基礎体の底部にブロアモータを設置し、エアーホースで殻体に設けられた吹出穴に接続すると良い。ブロアモータはモータを備えるので比較的重量が大きいことが通常であり、できる限り低い場所に設置するほうがエアー抽選器の重心が下がって転倒等が発生しにくくなるという効果が得られるし、比較的大きな圧力が得られることから、エアーホースを用いても十分な風量が得られるからである。
【００４４】
（１１）上記課題を解決するため、本考案においては、
前記基礎体内部にファンモータを備え、該ファンモータモータは前記吹出口に接続されている、
ことを特徴とする、（１）〜（８）のいずれかに記載のエアー抽選器としている。
【００４５】
抽選空間に吹出口から吹き出す空気流を発生させる装置としてブロアモータが使用出来ることはすでに説明したとおりであるが、本考案に係るエアー抽選器においては、ブロアモータに代えてファンモータを使用することも出来る。ファンモータは軸流ファンとも言われ、ファンの回転軸と同じ方向に空気を輸送する装置であり、流量は大きいが圧力は低い傾向がある。しかし、本考案は小型のエアー抽選器とした際に特に特徴が活きるものであり、小型であれば比較的圧力が低くても、なお、十分な流量が得られやすいからである。また、ファンモータのなかでも、直列反転ファン構造、すなわち、２つの回転方向が異なるファンを直列に接続した構造のものでは、比較的高い圧力が得られるため、本考案に係るエアー抽選器での使用に適した好ましい選択肢である。
【００４６】
なお、このようなファンは非常に小型のものが利用可能であり、殻体の吹出口の設けられている部分の外側に直接取り付けて使用することもできる。つまり、エアー抽選器の利用者からは視認されにくい基礎体内にファンモータを設けること自体にはなんら違いが無いが、エアーホースを介さずに、吹出口とファンモータをほぼ直結するのである。このようにすると、エアーホースを空気流が通過する際に発生する圧力損失がなくなるので、圧力が低めのファンモータであっても十分な空気流が得られるという効果が得られる。さらに、一般的にブロアモータと比較するとファンモータは騒音（風切音）が少ないため、より騒音の少ないエアー抽選器を実現できるという効果も得られる。
【００４７】
（１２）上記課題を解決するため、本考案においては、
前記基礎体に前記抽選空間を照らす照明手段を備えている、
ことを特徴とする、（８）〜（１１）に記載のエアー抽選器としている。
【００４８】
本考案に係るエアー抽選器は、略球体形状又は少なくとも１２面以上を備える多面体形状である抽選空間を備えており、ほぼこれと同じ形状の殻体を備えている。また、殻体は少なくともその一部が透明又は有色透明の材料で構成されている。このような抽選空間を照明で照らすと、照明の光が殻体で反射・屈折して特有の非常に美しい外観となる。また、抽選空間内の籤も光を反射しつつ周遊するので、顕著な動的意匠効果が得られる。この為、本考案に掛かるエアー抽選器は照明手段を備えて抽選空間を照明することが好ましく、照明手段は利用者からは視認されにくい基礎部に設けることが好ましい。
【００４９】
なお、照明手段としては長寿命で消費電力の少ないＬＥＤランプが好ましく、特に、多色発光できるものが美しい色彩を演出できる点で望ましく、多数のＬＥＤランプをライン状に配置したいわゆるＬＥＤライン照明を、基礎体と殻体の接続部に沿って配置することは好ましい形態のひとつである。抽選空間を照明するＬＥＤランプを点滅させたり、発行色を変化させたりするような演出を行うことも可能であることはいうまでもない。
【考案の効果】
【００５０】
（１）本考案に係るエアー抽選器では、抽選空間を略球体形状とし、吹出口を抽選空間の中心から見て水平方向を０度、鉛直下方向を−９０度としたときに−６０度乃至６０度となる位置に設け、吹出口からは空気流がほぼ該抽選空間の底面を通過する接線方向下向きに吹き出すように設定したので、抽選空間内に空気流の渦や淀み点が発生しにくく、また、空気流からそれた籤の重力に引かれて空気流が通過する抽選空間下部に滑り落ちてくるため、籤が堆積・滞留することがほとんど無いという効果を奏する。
【００５１】
また、籤が凹凸のある吹出口付近を通過することが少なく、籤の消耗が少なくてすむ。これにより、籤の交換等のメンテナンス頻度を下げることが可能であり、エアー抽選器の稼働率を向上することができるという効果を奏する。
【００５２】
（２）本考案に係るエアー抽選器では、抽選空間を少なくとも１２面以上の面を有する多面体形状としたので、（１）と同様の効果が得られるほか、特有の形状によって得られる面白さの意匠的効果によって利用者の関心を得ることができるという効果を奏する。また、専用の金型を準備せずに、平面部材から切り出した多角形を組み合わせて抽選空間の殻体を製造可能であるので、自由な寸法のエアー抽選器を比較的安価に実現できるという効果も奏する。
【００５３】
（３）本考案に係るエアー抽選器では、吹出口を前記抽選空間の中心から見て水平方向を０度、鉛直下方向を−９０度としたときに−６０度乃至０度となる位置に設けたので、周遊してきた籤を吹出口から吹き出す強い空気流で吹き降ろし、抽選空間内で籤を勢い良く周遊させることができるという効果を奏する。また、吹出口の位置が比較的低くなって利用者から視認されにくくなるので、美観に優れたエアー抽選器とすることができるという効果も奏する。
【００５４】
（４）本考案に係るエアー抽選器では、吹出口の上側にクッション体を設けたので、抽選空間の内面に沿って周遊してきた籤もクッション体に衝突してその後抽選空間内面に沿って滑り落ちて再び空気流に乗って周遊を始めることになる。これにより、吹出口近くの固い凹凸に接触した場合と比較して、籤の消耗は大きく軽減され、籤の交換等のメンテナンス頻度を少なくし、エアー抽選器の稼働率を高めることができるという効果を奏する。
【００５５】
（５）本考案に係るエアー抽選器では、吹出口の上側にシート体がその上端部で取り付けられ、その長さは前記吹出口をほぼ覆い得る程度としたので、抽選空間の内面に沿って周遊してきた籤が薄くしなやかなシート体に沿って滑らかに吹出口を乗り越えることになり、吹出口付近の凹凸に接触することが皆無となるので、籤の消耗をきわめて少なくすることができる。このため、籤の交換等のメンテナンス頻度をますます少なくし、エアー抽選器の稼働率をさらに高めることができるという効果を奏する。
【００５６】
（６）本考案に係るエアー抽選器では、抽選空間の中心から見て吹出口の方向を０度としたときに、左右に１５度乃至４５度となる位置に排気口を設けたので、排気口への籤の張り付きがほとんど発生しないという効果が得られる。加えて、比較的小さい消費電力によって（つまり、吹出口から吹き出す空気流の風量が比較的少ない状態で）、良好な籤の周遊を実現できるという効果を奏する。
【００５７】
（７）本考案に係るエアー抽選器では、抽選空間の中心から見て吹出口の方向を０度としたときに、左右に６０度乃至１２０度となる位置に抽選穴を設けたので、抽選穴からの籤の飛び出しや張り付きもほとんど無く、また、利用者が抽選穴から抽選空間に手を差し入れても籤の周遊に与える影響が少ないエアー抽選器とすることができるという効果を奏する。
【００５８】
（８）本考案に係るエアー抽選器では、抽選空間を取り囲む殻体と、該殻体を下方で支持する基礎体からなり、該基礎体と該殻体の接触面は水平方向に対して１５度乃至４５度の角度となるように設定したので、抽選空間の多くの部分を利用者から視認可能としつつ、ダクトその他を隠した優れた外観のエアー抽選器とすることができるという効果を奏する。
【００５９】
（９）本考案に係るエアー抽選器では、吹出口につながる空気導入口を備えたので、エアー抽選器本体と空気流を作り出すブロアモーターを別々に配置することが可能となる。これにより、重いブロアモーターを床置きして、エアー抽選器本体を机上に設置するなど、設置が容易となり、また、これによりブロアモーターの発する騒音の軽減も図ることができるという効果を奏する。また、ブロアモーターに分岐継手を介して複数のエアー抽選器と接続するといった自由な運用も可能になる。
【００６０】
（１０）本考案に掛かるエアー抽選器では、基礎体内部にブロアモータを備えることとしたので、輸送や設置が容易な使い勝手の良いエアー抽選器とすることができるという効果を奏する。
【００６１】
（１１）本考案に掛かるエアー抽選器では、基礎体内部にファンモータを備えることとしたので、輸送や設置が容易な使い勝手が良い他、騒音も少ないエアー抽選器とすることができるという効果を奏する。
【００６２】
（１２）本考案に係るエアー抽選器では、基礎体に抽選空間を照らす照明手段を備えたので、照明の光が殻体で反射・屈折して特有の非常に美しい外観となり、また、抽選空間内の籤も光を反射しつつ周遊するので、顕著な動的意匠効果が得られるという効果を奏する。
【図面の簡単な説明】
【００６３】
【図１】本考案に係るエアー抽選器を正面から見た様子を示す説明図である。
【図２】本考案に係るエアー抽選器を側面から見た様子を示す説明図である。
【図３】本考案に係るエアー抽選器の構造を正面から観察できるように切断した状態を示す説明図である。
【図４】本考案に係るエアー抽選器の構造を側面から観察できるように切断した状態を示す説明図である。
【図５】本考案に係るエアー抽選器の別の実施例の構造を側面から観察できるように切断した状態を示す説明図である。
【図６】本考案に係るエアー抽選器の別の実施例の構造を側面から観察できるように切断した状態を示す説明図である。
【考案を実施するための形態】
【００６４】
以下、図面を用いて本考案の実施例について説明する。
【実施例１】
【００６５】
図１は本考案に掛かるエアー抽選器を正面から見た様子を示す説明図であり、図２は同じく側面から見た様子を示す説明図である。また、図３には本考案に係るエアー抽選機の内部構造を明示するために、正面から内部の様子が観察できるように切断した状態を示す説明図であり、図４は同じく側面から観察できるように切断した状態を示す説明図である。
【００６６】
本考案に係るエアー抽選器は机上に設置できる程度の小型のものとした場合にその特徴が活きるものであり、実施例においても設置台（１３）上に、エアー抽選器（１）を設置した様子を示している。エアー抽選器（１）は、大まかには抽選空間（４）を含む殻体（２）とこれを支持する基礎体（３）からなっており、基礎体には外部から空気流を受け入れる空気導入口（１１）が設けられている。空気導入口（１１）には、外部に設置したブロアモーター（１２）等からエアホース（１４）を介して空気流を受け入れ、この空気流によってエアー抽選器（１）の備える抽選空間（４）内に投入した籤が周遊することになる。なお、設置台（１３）やブロアモータ（１２）、及び、エアホース（１４）は本考案の構成要素に含まれるものではなく、本考案の説明を行う便宜上図示したものである（この為、ブロアモータ等は正面図には表示していない）。
【００６７】
抽選空間（４）を含む殻体（２）は透明なアクリル樹脂性の球殻で構成しており、抽選空間（４）の中心から見て水平方向から３０度程度下側に吹出口（５）を設けている。吹出口（５）は、球殻に設けた穴に、下側に穴の開いた略円筒形のカバーを被せて構成しており、吹出口から吹き出す空気流は該カバーの穴の方向、つまり、下方向に吹き出すことになる。なお、吹出口（５）は基礎体（３）の内部に設けたエアーホース（１０）によって空気導入口（１１）と接続されており、外部のブロアモーター（１２）で発生された空気流が吹出口（５）から吹き出すことになる。
【００６８】
吹出口（５）の上側の抽選空間（４）の内面には、円筒形のゴムからなるクッション体（７）が取り付けられている。クッション体（７）の直径は３ｃｍ程度、高さも３ｃｍ程度としており、周遊してきた籤が硬い吹出口に衝突して磨耗等の劣化を生じることを防止する。なお、クッション体は吹出口と比べるとやわらかい素材で構成されており、籤が衝突しても籤の損傷はほとんど発生しない。
【００６９】
抽選空間（４）の中央から見て吹出口（５）とほぼ同じ高さで、左右それぞれ３０度程度離れた位置には、排気口（６）が設けられている。排気口（６）は左右それぞれ１６個、計３２個の穴で構成しており、これら穴から籤が飛び出すことはあり得ない。また、エアー抽選器動作時には、籤は吹出口（５）から下方向に吹き出す空気流に乗って抽選空間（４）の内面に沿って進底部を通過して天井付近を通り、この後重力の影響で抽選空間（４）の内面からやや離れて落下していき、再び吹出口（５）から吹き出す空気流に乗るという周遊を行う。この為、籤が排気口（６）の近傍を通過することが無く、従って排気口への籤の張り付きはほとんど発生しない。
【００７０】
抽選空間（４）の中央から奥方向を見て、ほぼ真横に当たる位置には左右それぞれに抽選穴（８）を設けている。抽選穴（８）は、殻体（２）に直径１２０ｍｍ程度の穴をあけ、ここにゴム板に放射状に切り込みを設けた蓋体を取り付けたものである。通常時はゴム板の弾性で蓋体の放射線状の切り込みは閉じた状態を保っており、抽選穴か（８）から籤が飛び出す事故を防いでいる。利用者は蓋体の放射線状の切込みを押し開きつつ抽選空間に手を差し入れて籤を掴み取る。
【００７１】
殻体（２）は、基礎体（３）によって支持されている。殻体（２）は少なくともその一部を透明素材で構成し、利用者が抽選空間（４）を周遊する籤を視認可能としなければならないが、基礎体（３）は殻体（２）を支持するとともに、空気導入口（１１）と吹出口（５）を接続するエアーホース（１０）などの部品を覆い隠して美観を維持する必要があるので、通常は不透明で丈夫な材料で構成する。具体的には、金属板や木材で構成し必要に応じて美しく塗装すればよい。
【００７２】
基礎体（３）には殻体（２）の内側の抽選空間（４）を照らす照明手段（９）を備えている。照明手段（９）は、多数のＬＥＤを線状に配置したＬＥＤライン照明を使用しており、かつ、多色発光可能なものを使用している。図示していないが、基礎体（３）には照明手段（９）の制御回路も備えており、照明手段（９）を点滅させたり色調を変化させたりといった演出を実施可能である。ところで、図では照明手段（９）を殻体（２）の外側に取り付けた様子を示しているが、照明手段（９）を基礎体（３）に取り付けることも可能である。殻体（２）は透明素材で構成しているので、殻体（２）の外部に設けた照明手段によって内部を照らしても何ら問題ないのみならず、照明手段の取り付けの自由度が増すなどの利益が得られることもあるからである。
【００７３】
ところで、以上の説明ではエアー抽選器本体にはブロアモーターを備えず、外部に設置したブロアモーターから空気流を取り込む構成について説明したが、本考案に係るエアー抽選器はこれに限られるものではなく、ブロアモーターを基礎体に内蔵することも可能である。また、実際には電気配線など図示していない構成要素を含むが、これらは従来より知られた技術によって容易に実現可能な範囲のものである。
【実施例２】
【００７４】
図５は、本考案に係るエアー抽選器の別の一実施例について、その内部構造を明示するために側面から内部の様子が観察できるように切断した状態を示す説明図である。正面から見た様子等については、実施例１の場合と大きな違いはないので省略する。
【００７５】
本実施例では、実施例１の場合に設けていたクッション体（７）に代えて、シート体（１５）を吹出口（５）の上方の抽選空間（４）内面から垂下するように取り付けている点が実施例１と大きく異なる点である。シート体（１５）は上端付近で殻体（２）の内面に貼付され、下部は吹出口（５）を覆うように設定されている。また、シート体（１５）は透明で薄い樹脂シート製としている、これにより、抽選空間内で目立つことなくエアー抽選器の良好な外観が維持され、また、抽選空間（４）の内面とシート体（１５）の境界に段差がほとんど発生しない為、籤がこの部分に衝突したり引っかかったりすることも発生しない。
【００７６】
吹出口（５）から吹き出す空気流に乗って抽選空間内を周遊してきた籤は、シート体（１５）に沿って滑らかに軌道を変え、吹出口（５）及びその周辺の凹凸に接触することなく、吹出口（５）を乗り越える。そして、再び吹出口（５）から吹き出す空気流に乗って周遊を続けることになるので、周遊中に籤が何かに衝突するという機会がきわめて少なくなり、籤の損傷がきわめて少なくなる。これにより、メンテナンス頻度をますます低くすることができ、さらなる稼働率の向上が図れる。
【００７７】
また、本実施例では照明手段（９）を殻体（２）ではなく基礎体（４）に取り付けている。殻体（２）は透明素材で構成しており、照明手段（９）が殻体（２）に取り付けられているか基礎体（４）に取り付けられているかによらずその内部を照らすことができるが、曲面のみで構成される殻体（２）よりも平面を備える基礎体（３）の方が照明手段（９）を取り付けやすく、また、配線等の構成部品を目立たなく隠すことも容易であることから、本実施例では照明手段（９）の取り付け位置を変更した例を示した。
【実施例３】
【００７８】
図６は、本考案に係るエアー抽選器の別の一実施例について、その内部構造を明示するために側面から内部の様子が観察できるように切断した状態を示す説明図である。正面から見た様子等については、実施例１の場合と大きな違いはないので省略する。
【００７９】
本実施例では、吹出口（５）から抽選空間（４）に吹き出す空気流を発生させる装置をブロアモータではなく小型のファンモータ（１６）とし、かつ、これを基礎体（３）に内蔵している。エアー抽選器本体（１）とブロアモータ等の空気流発生装置を別々に輸送・組立・設置等する必要が無く、エアー抽選器（１）を催し物会場等に搬入して設置すれば即使用可能となり、エアー抽選器を一時的に利用したい場合などに非常に都合がよい。
【００８０】
また、本実施例では小型のファンモータ（１６）をエアホースを介さずに殻体（２）の直接吹出口（５）が設けられている部分の裏側に直接取り付けている。小型のファンモータであるのでこのような取り付けができるのであるが、このようにエアホースを介さずに直接吹出口（５）に空気流発生装置を取り付けることから、エアーホースで発生する圧力損失がなくなり、これによってブロアモータと比較して圧力の低いファンモータによってエアー抽選器に必要な空気流を得られたという側面もある。なお、この実施例では、ファンモータとしては小型で圧力が高い直列反転ファン構成である山洋電機株式会社製のＳＡＮ  ＡＣＥ  ８０  ＣＲＡ  ｔｙｐｅを使用した。
【００８１】
ところで、以上に説明したように、本考案に係るエアー抽選器の構成には様々な利点があるが、小型のエアー抽選器であるということ自体にも利点がある。すなわち、小型であるがゆえに、利用者は抽選穴からさほど深く腕を差し入れることなく籤を引くことができる。つまり、冬季のように利用者が厚着をしている場合であっても、上着等を着用したまま気軽に籤を引くことができるので、輸送・設置の容易さと相まって、従来以上に様々な状況で活躍できるエアー抽選器となっている。
【産業上の利用可能性】
【００８２】
以上のように、本考案は小型化した場合にも籤を筐体内で良好に周遊させることができ、籤の堆積・滞留や排気口への張り付きといった問題もほとんど発生しない優れたエアー抽選器を提供するものであり、産業上の利用価値はすこぶる高い。
【符号の説明】
【００８３】
１              エアー抽選器
２              殻体
３              基礎体
４              抽選空間
５              吹出口
６              排気口
７              クッション体
８              抽選穴
９              照明手段
１０            エアーホース
１１            空気導入口
１２            ブロアモーター
１３            設置台
１４            エアホース
１５            シート体
１６            ファンモーター
【図１】
0003204171.tif 000003
【図２】
0003204171.tif 000004
【図３】
0003204171.tif 000005
【図４】
0003204171.tif 000006
【図５】
0003204171.tif 000007
【図６】
0003204171.tif 000008